(57)【要約】【課題】ロータリシャッタによる開口部の開閉の信頼性の向上を図る。【解決手段】下シャッタ部材７Ｄは、中心孔４ａに挿入される略円筒状の軸筒部１１と、軸筒部１１の先端に下シャッタ部材７Ｄを下シェル４に回転可能に保持するためのカシメ部１２とを備え、下シェル４は、カシメ部１２を収容するための段部４Ｒを有する。そして、このカシメ部１２の先端における段部４Ｒに対向する上面側が面取りされている。【選択図】    図３
2004326948.tif 000002
【特許請求の範囲】
【請求項１】
上下シェルを備えた扁平なハウジング内に、中心部がセンタコアに固定されたディスク状の情報記録媒体を回転自在に収容してなるディスクカートリッジであって、前記ハウジングが、前記センタコアを外部に臨ませる前記下シェルに形成された中心孔と、ディスクドライブが備えている記録再生ヘッドを前記情報記録媒体の表面にアクセスさせるための開口部と、該開口部を開閉するロータリシャッタとを備え、該ロータリシャッタが、前記上シェルに回転可能に保持された上シャッタ部材と、前記下シェルに回転可能に軸支された下シャッタ部材とによって構成されてなるディスクカートリッジにおいて、
前記下シャッタ部材が、前記中心孔に挿入される略円筒状の軸筒部と、該軸筒部の先端に前記下シャッタ部材を前記下シェルに回転可能に保持するためのカシメ部とを備え、
前記下シェルが、前記カシメ部を収容するための段部を有し、
前記カシメ部の先端における前記段部に対向する上面側が、面取りされているものであることを特徴とするディスクカートリッジ。
【請求項２】
前記下シェルが、前記中心孔の縁部を折り返すことにより設けられた折返部を備えたものであることを特徴とする請求項１に記載のディスクカートリッジ。
【請求項３】
前記折返部が、前記中心孔の縁部を前記下シャッタ部材側に折り返すことにより設けられており、前記折返部の先端における前記下シャッタ部材に対向する上面側が、面取りされているものであることを特徴とする請求項２に記載のディスクカートリッジ。
【発明の詳細な説明】
【０００１】
【発明の属する技術分野】
本発明は、ディスク状の情報記録媒体を回転可能に収容するディスクカートリッジに関し、特に、ハウジングに形成された記録再生ヘッドアクセス用の開口部を開閉するためのロータリシャッタの取り付け機構に関するものである。
【０００２】
【従来の技術】
従来、デジタルカメラ等のモバイル機器においては、記録媒体として例えば「ｃｌｉｋ！（登録商標）」と呼ばれる超小型の磁気ディスクカートリッジが使用されている（たとえば特許文献１、２参照）。ここで、図８は従来の「ｃｌｉｋ！（登録商標）」と呼ばれる超小型の磁気ディスクカートリッジの一例を示す。図８のディスクカートリッジ１は、たとえば幅５０ｍｍ、奥行き５５ｍｍ、厚さ１．９５ｍｍの扁平な金属薄板からなる上下シェル３、４を備えたハウジング内に、４０ＭＢの記憶容量を有する直径約１．８インチ（４６．５ｍｍ）の磁気ディスクからなる情報記録媒体５を回転自在に収容したものである。
【０００３】
この上シェル３と下シェル４には、ディスクドライブの記録再生ヘッドが情報記録媒体５にアクセスするための図示しない開口部が設けられており、下シェル４の中心部には、情報記録媒体５の中心に設けられたセンタコア１０を外部に臨ませるための中心孔４ａが形成されている。また、上下シェル３、４内には開口部を開閉するためのロータリシャッタ７が設けられている。
【０００４】
ロータリシャッタ７は、上シャッタ部材７Ｕと下シャッタ部材７Ｄとからなり、この上シャッタ部材７Ｕと下シャッタ部材７Ｄとは係合されている。上シャッタ部材７Ｕの情報記録媒体５に対向する対向面には、情報記録媒体５の表面に付着した汚れを払拭するための上ライナ８Ｕが貼り付けられている。同様に、下シャッタ部材７Ｄの情報記録媒体５に対向する対向面には下ライナ８Ｄが貼り付けられている。
【０００５】
上シャッタ部材７Ｕは上シェル３に形成された円筒体３ａによって回転可能に軸支されている。円筒体３ａの先端には上シャッタ部材７Ｕの円筒体からの抜出しを防止するためのセンタピンと呼ばれる抜止め部材９が溶接により固定されている。
【０００６】
一方、下シャッタ部材７Ｄには中心孔４ａの周囲に下方に向かって突出した軸筒部１１が設けられており、軸筒部１１が中心孔４ａに挿入されることにより回転可能に軸支されている。また、軸筒部１１の先端にカシメ加工が施されることにより抜け止め用のカシメ部１２が形成されており、カシメ部１２により下シャッタ部材７Ｄが下シェル４に対して保持されている。
【０００７】
ここで、軸筒部１１の外径は略円周状に形成された中心孔４ａの円周と略同一となるように形成されている。よって、下シャッタ部材７Ｄが下シェル４に対して回転する際には、中心孔４ａの外周全体が軸筒部１１の外面と摺動しながら回転することになる。
【０００８】
【特許文献１】
米国特許第６１３３５４４号公報
【０００９】
【特許文献２】
米国特許第５９９５３４６号公報
【００１０】
【発明が解決しようとする課題】
ところで、下シャッタ部材７Ｄをスムーズに回転移動させるためには、軸筒部１１と中心孔４ａとの摺動抵抗が小さいものであることが好ましい。軸筒部１１と中心孔４ａとの摺動抵抗が大きくなると、ロータリシャッタ７の開閉動作が不安定になってしまうという問題がある。
【００１１】
そこで、本発明は、ロータリシャッタによる開口部の開閉の信頼性の向上を図ることができるディスクカートリッジを提供することを目的とするものである。
【００１２】
【課題を解決するための手段】
本発明のディスクカートリッジは、上下シェルを備えた扁平なハウジング内に、中心部がセンタコアに固定されたディスク状の情報記録媒体を回転自在に収容してなるディスクカートリッジであって、前記ハウジングが、前記センタコアを外部に臨ませる前記下シェルに形成された中心孔と、ディスクドライブが備えている記録再生ヘッドを前記情報記録媒体の表面にアクセスさせるための開口部と、該開口部を開閉するロータリシャッタとを備え、該ロータリシャッタが、前記上シェルに回転可能に保持された上シャッタ部材と、前記下シェルに回転可能に軸支された下シャッタ部材とによって構成されてなるディスクカートリッジにおいて、前記下シャッタ部材が、前記中心孔に挿入される略円筒状の軸筒部と、該軸筒部の先端に前記下シャッタ部材を前記下シェルに回転可能に保持するためのカシメ部とを備え、前記下シェルが、前記カシメ部を収容するための段部を有し、前記カシメ部の先端における前記段部に対向する上面側が、面取りされているものであることを特徴とするものである。
【００１３】
ここで、下シェルは、中心孔の縁部を折り返すことにより設けられた折返部を備えたものであってもよい。
【００１４】
この折返部は、中心孔の縁部を下シャッタ部材側に折り返すことにより設けられており、折返部の先端における下シャッタ部材に対向する上面側が、面取りされているものであってもよい。
【００１５】
【発明の効果】
本発明のディスクカートリッジによれば、カシメ部の先端における段部に対向する上面側が、面取りされていることにより、カシメ部と下シャッタ部材との摺動抵抗を小さくすることができ、よりロータリシャッタの開閉動作の信頼性をより高めることができる。
【００１６】
なお、下シェルが中心孔の縁部を折り返すことにより設けられた折返部を備えた構成にすれば、中心孔における軸筒部に摺動する部位が略円弧状に形成されることになるため、下シャッタ部材と軸筒部との摺動抵抗を小さくすることができ、ロータリシャッタの開閉の信頼性を高めることができる。また、ロータリシャッタの先端部分を略円弧状に形成するのに際し、中心孔の端部を折り曲げることにより形成するようにしているため、簡単な加工によりロータリシャッタの開閉の信頼性を高めることができる。
【００１７】
さらに、中心孔の縁部を下シャッタ部材側に折り返すことにより設けられており、折返部の先端における下シャッタ部材に対向する上面側が、面取りされているものであれば、下シャッタ部材と軸筒部との摺動抵抗を小さくすることができ、よりロータリシャッタの開閉動作の信頼性をより高めることができる。
【００１８】
【発明の実施の形態】
以下、本発明の実施の形態について、図面を参照して詳細に説明する。図１と図２は、本発明によるディスクカートリッジの実施の形態を示す平面図である。なお、このディスクカートリッジ１は、図１（ａ）、（ｂ）にそのロータリシャッタ７が閉状態にある平面図および底面図、図２（ａ）、（ｂ）にロータリシャッタ７が開状態にある平面図および底面図をそれぞれ示している。
【００１９】
このディスクカートリッジ１は、押込み部２ａを含む樹脂製の通常スタビライザと呼ばれるフレーム２と、金属薄板からなる上下シェル３，４とによって構成された、幅５０ｍｍ、奥行き５５ｍｍ、厚さ１．９５ｍｍの扁平なハウジング内に、４０ＭＢの記憶容量を有する直径約１．８インチ（４６．５ｍｍ）のディスク状の情報記録媒体５を回転自在に収容したものである。この情報記録媒体５は、フレキシブルな円盤状の磁気ディスクの中心にセンタコア１０を設けた構造を有する。
【００２０】
また、ハウジングは、ディスクドライブの磁気ヘッドを情報記録媒体５の表面にアクセスさせるためのＶ字状の開口部６と、この開口部６を開閉するためのロータリシャッタ７とを備えている。そして、ディスクドライブが情報記録媒体５に対して情報の記録再生を行うときには、ロータリシャッタ７が開き、開口部６から磁気ヘッドが挿入されるようになっている。一方、ディスクドライブから取り出されたときに開口部６から埃等が入り込まないようにするため、ロータリシャッタ７が閉じて開口部６を塞ぐようになっている。
【００２１】
さらに、ハウジングの下シェル４には、情報記録媒体５のセンタコア１０を外部に臨ませる円形の中心孔４ａと、ロータリシャッタ７と同心的な円弧状溝４ｂとが形成され、下シャッタ部材７Ｄには、上記円弧状溝４ｂから突出し、かつこの円弧状溝４ｂに沿って移動してロータリシャッタ７を開閉するシャッタノブ７ｂが固設されている。そして、ディスクカートリッジ１がディスクドライブに装填されたときに、ディスクドライブの回転駆動源が中心孔４ａから露出したセンタコア１０を保持し、情報記録媒体５を回転駆動させるようになっている。
【００２２】
図３は図１のディスクカートリッジ１の断面図を示している。図３において、ロータリシャッタ７は互いに係合された上下のシャッタ部材７Ｕ、７Ｄからなり、上下シャッタ部材７Ｕ、７Ｄと情報記録媒体５との間にはそれぞれ上下ライナ８Ｕ、８Ｄが介挿されている。
【００２３】
ここで、上シャッタ部材７Ｕは、上シェル３に設けられた円筒体３ａが挿入されることにより軸支されており、円筒体３ａの先端に設けられた上シャッタ部材７Ｕの抜出しを防止するためのセンタピンと呼ばれる抜止め部材９が溶接により保持されている。これにより、上シャッタ部材７Ｕは上シェル３に対して回転可能に保持された状態になっている。
【００２４】
一方、下シャッタ部材７Ｄは、中心孔４ａに挿入される略円筒状の軸筒部１１を有し、軸筒部１１が中心孔４ａに挿入されることにより軸支されている。また、軸筒部１１の先端にはカシメ加工によるカシメ部１２が設けられており、下シャッタ部材７Ｄはこのカシメ部１２により下シェル４に保持されている。これにより、下シャッタ部材７Ｄは下シェル４に対して回転可能に保持された状態になっている。
【００２５】
図４は下シェル４のカシメ部１２の付近部位を示す断面図である。図４において下シェル４にはカシメ部１２を収容するための段部４Ｒが設けられている。これは、カシメ部１２が下シェル４から突出するのを防止するためである。ここで、カシメ部１２における段部４Ｒに対向する上面側は面取りされており、カシメ部１２が下シェル４に摺動したときの摺動抵抗を小さくするようになっている。なお、このカシメ部１２の面取り部分は、たとえば下シャッタ部材７Ｄとなる金属板をプレス加工して打ち抜いたときに発生するダレにより形成してもよいし、もしくはプレス加工により打ち抜いた後にＲ形状の金型を押し付けることにより形成してもよい。
【００２６】
図５は下シェル４を外面側から見た平面図である。図５において、中心孔４ａの縁部には縁部を下シャッタ部材７Ｄ側に折り返した折返部４Ｌが設けられている。なお、図５に示すように、折返部４Ｌはたとえば中心孔４ａの全周にわたって設けられていが、折返部４Ｌを設けるための折返し工程を容易にするために、折返部４Ｌの一部に切欠部を設けるようにしてもよい。
【００２７】
この折返部４Ｌを形成することにより、軸筒部１１に摺動する部位が断面視において略円弧状になり、軸筒部１１と中心孔４ａとの摺動抵抗を小さくすることができる。よって、ロータリシャッタ７の開閉の信頼性を高めることができる。また、中心孔４ａの縁部を略円弧状に形成する際に、たとえば縁部に金型を押し当てて形成するのではなく、折り曲げることにより略円弧状に形成することにより、簡単に中心孔４ａの縁部を略円弧状に形成することができる。
【００２８】
さらに、折返部４Ｌの先端における下シャッタ部材７Ｄに対向する上面側が面取りされており、カシメ部１２が下シェル４に摺動したときの摺動抵抗を小さくするようになっている。なお、上述したカシメ部１２の面取り部分と同様、この折返部４Ｌの面取り部分は、たとえば下シェル４となる金属板をプレス加工して打ち抜いたときに発生するダレにより形成してもよいし、もしくはプレス加工により打ち抜いた後にＲ形状の金型を押し付けることにより形成してもよい。
【００２９】
上記実施の形態によれば、カシメ部１２の先端における段部４Ｒに対向する上面側が、面取りされていることにより、カシメ部１２と下シャッタ部材７Ｄとの摺動抵抗を小さくすることができ、ロータリシャッタ７の開閉動作の信頼性をより高めることができる。
【００３０】
なお、下シェル４が中心孔４ａの縁部を折り返すことにより設けられた折返部４Ｌを備えることにより、中心孔４ａにおける軸筒部１１に摺動する部位が略円弧状に形成されることになるため、下シャッタ部材７Ｄと軸筒部１１との摺動抵抗を小さくすることができ、ロータリシャッタ７の開閉の信頼性をより高めることができる。また、ロータリシャッタ７の先端部分を略円弧状に形成するのに際し、中心孔４ａの端部を折り曲げることにより形成するようにしているため、簡単な加工によりロータリシャッタ７の開閉の信頼性を高めることができる。
【００３１】
さらに、中心孔４ａの縁部を下シャッタ部材７Ｄ側に折り返すことにより設けられており、折返部の先端における下シャッタ部材７Ｄに対向する上面側が、面取りされているものであれば、下シャッタ部材７Ｄと軸筒部１１との摺動抵抗を小さくすることができ、よりロータリシャッタ７の開閉動作の信頼性をより高めることができる。
【００３２】
本発明の実施の形態は、上記実施の形態に限定されない。たとえば、図４において折返部４Ｌは、下シャッタ部材７Ｄ側に折り返されているが、カシメ部１２側に折り返されていてもよい。
【００３３】
また、軸筒部およびカシメ部の構造について、図６と図７に示すようなディスクカートリッジ２０の構成にしてもよい。すなわち、図６と図７のディスクカートリッジ２０において、軸筒部１１が下シェル４側に設けられており、軸筒部１１は下シェル４のハウジング内部に向かって突出するように設けられている。また、下シャッタ部材７Ｄには軸筒部１１に挿入される挿入穴２７Ｄａが形成されており、下シャッタ部材７Ｄが軸筒部１１に軸支された構造になっている。さらに、軸筒部１１の先端にはカシメ加工によるカシメ部１２が設けられており、カシメ部１２により下シャッタ部材７Ｄが下シェル４に保持されている。
【００３４】
ここで、挿入穴２７Ｄａの縁部には下シェル４側に折り返された折返部７Ｌが設けられている。なお、図７に示すように、折返部７Ｌはたとえば挿入穴２７Ｄａの全周にわたって設けられていが、折返部７Ｌを設けるための折返し工程を容易にするために、折返部７Ｌの一部に切欠部を設けるようにしてもよい。
【００３５】
この折返部７Ｌを形成することにより、軸筒部１１に摺動する部位が断面視において略円弧状になり、軸筒部１１と挿入穴２７Ｄａとの摺動抵抗を小さくすることができ、ロータリシャッタ７の開閉の信頼性を高めることができる。また、挿入穴２７Ｄａの縁部を略円弧状に形成する際に、たとえば縁部に金型を押し当てて形成するのではなく、折り曲げることにより略円弧状に形成することにより、容易に挿入穴２７Ｄａの縁部を略円弧状に形成することができる。
【００３６】
さらに、折返部７Ｌの先端における下シェル４に対向する上面側が面取りされており、折返部７Ｌが下シェル４に摺動したときの摺動抵抗を小さくするようになっている。なお、この折返部７Ｌの面取り部分は、たとえば下シェル４となる金属板をプレス加工して打ち抜いたときに発生するダレにより形成してもよいし、もしくはプレス加工により打ち抜いた後にＲ形状の金型を押し付けることにより形成してもよい。
【００３７】
なお、図６においては、カシメ部１２が下シェル４の外側に設けられていないため、下シェル４側にカシメ部１２を収容するための段部が不要であり、カシメ部１２を面取り加工（図３参照）をする必要がない。
【図面の簡単な説明】
【図１】本発明のディスクカートリッジの好ましい実施の形態におけるロータリシャッタが閉状態にある状態を示す平面図および底面図
【図２】本発明のディスクカートリッジの好ましい実施の形態におけるロータリシャッタが開状態にある状態を示す平面図および底面図
【図３】本発明のディスクカートリッジのの好ましい実施の形態を示す断面図
【図４】図３のディスクカートリッジにおけるカシメ部の周辺部位を示す断面図
【図５】図１のディスクカートリッジにおける下シェルの折返部を示す平面図
【図６】本発明のディスクカートリッジの第２の実施の形態を示す模式図
【図７】図５のディスクカートリッジにおける下シャッタ部材の挿入穴を示す平面図
【図８】従来のディスクカートリッジの一例を示す模式図
【符号の説明】
１    ディスクカートリッジ
３    上シェル
３ａ  円筒体
４    下シェル
４ａ  中心孔
４Ｌ  折返部
４Ｒ  段部
５    情報記録媒体
６    開口部
７    ロータリシャッタ
７Ｕ  上シャッタ部材
７Ｄ  下シャッタ部材
８Ｕ  上ライナ
８Ｄ  下ライナ
１０  センタコア
１１  軸筒部
１２  カシメ部
２７Ｄａ    挿入穴
【図１】
2004326948.tif 000003
【図２】
2004326948.tif 000004
【図３】
2004326948.tif 000005
【図４】
2004326948.tif 000006
【図５】
2004326948.tif 000007
【図６】
2004326948.tif 000008
【図７】
2004326948.tif 000009
【図８】
2004326948.tif 000010